【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】  外部エネルギを電気エネルギに変換する発電部と、
前記発電された電気エネルギを蓄電する蓄電部と、
前記蓄電部に蓄えられた電気エネルギにより駆動される一または複数のステッピングモータと、
パルス状の駆動信号を出力することにより前記ステッピングモータの駆動制御を行うモータ駆動制御部と、
前記発電部が発電により交流磁界を発生したか否かを検出する発電磁界検出部と、
前記モータ駆動制御部によって前記ステッピングモータを正転早送り駆動または逆転早送り駆動させているときに該発電磁界検出部により発電による交流磁界が検出された場合に、前記ステッピングモータに補正早送り駆動信号を出力する補正早送り駆動信号出力部と、
前記ステッピングモータによって駆動される指針と、を備え、
前記補正早送り駆動信号出力部は、通常の時刻表示以外の付加機能時間表示を行っている場合に、補正早送り駆動信号の実効値が通常の早送り駆動信号の実効値よりも大きく設定される
ことを特徴とする電子時計。
【請求項２】  外部エネルギを電気エネルギに変換する発電部と、
前記発電された電気エネルギを蓄電する蓄電部と、
前記蓄電部に蓄えられた電気エネルギにより駆動される一または複数のステッピングモータと、
パルス状の駆動信号を出力することにより前記ステッピングモータの駆動制御を行うモータ駆動制御部と、
前記発電部が発電により交流磁界を発生したか否かを検出する発電磁界検出部と、
前記モータ駆動制御部によって前記ステッピングモータを正転早送り駆動または逆転早送り駆動させているときに該発電磁界検出部により発電による交流磁界が検出された場合に、前記ステッピングモータに補正早送り駆動信号を出力する補正早送り駆動信号出力部と、
前記ステッピングモータによって駆動される指針と、を備え、
前記補正早送り駆動信号出力部は、前記指針を予め定めた所定位置にリセットする場合に、補正早送り駆動信号の周波数が通常の早送り駆動信号の周波数よりも低く設定されあるいは前記補正早送り駆動信号の実効値が通常の早送り駆動信号の実効値よりも大きく設定される
ことを特徴とする電子時計。
【請求項３】  請求項１または請求項２に記載の電子時計において、
前記発電磁界検出手段は、前記蓄電手段が充電状態にある場合に前記交流磁界が発生したものとして判別する充電状態判別手段を備えた
ことを特徴とする電子時計。
【請求項４】  請求項１または請求項２に記載の電子時計において、
前記発電磁界検出手段は、前記蓄電手段が過充電防止状態にある場合に、過充電防止電流により前記交流磁界が発生したものとして判別を行う過充電防止電流発生判別手段を備えた
ことを特徴とする電子時計。
【請求項５】  請求項１に記載の電子時計において、
前記付加機能時間表示は、ストップウォッチ、アラーム、タイマのいずれかである
ことを特徴とする電子時計。
【請求項６】  請求項２に記載の電子時計において、
前記補正早送り駆動信号出力部は、補正早送り駆動信号の周波数が通常の早送り駆動信号の周波数よりも低くし、かつ、前記補正早送り駆動信号の実効値が通常の早送り駆動信号の実効値よりも大きくする
ことを特徴とする電子時計。
【請求項７】  外部エネルギを電気エネルギに変換する発電部と、前記発電された電気エネルギを蓄電する蓄電部と、前記蓄電部に蓄えられた電気エネルギにより駆動される一または複数のステッピングモータと、パルス状の駆動信号を出力することにより前記ステッピングモータの駆動制御を行うモータ駆動制御部と、前記発電部が発電により交流磁界を発生したか否かを検出する発電磁界検出部と、前記モータ駆動制御部によって前記ステッピングモータを正転早送り駆動または逆転早送り駆動させているときに該発電磁界検出部により発電による交流磁界が検出された場合に、前記ステッピングモータに補正早送り駆動信号を出力する補正早送り駆動信号出力部と、前記ステッピングモータによって駆動される指針と、を備えた電子時計の制御方法において、
通常の時刻表示以外の付加機能時間表示を行っている場合に、補正早送り駆動信号の実効値を通常の早送り駆動信号の実効値よりも大きく設定する
ことを特徴とする電子時計の制御方法。
【請求項８】  外部エネルギを電気エネルギに変換する発電部と、前記発電された電気エネルギを蓄電する蓄電部と、前記蓄電部に蓄えられた電気エネルギにより駆動される一または複数のステッピングモータと、パルス状の駆動信号を出力することにより前記ステッピングモータの駆動制御を行うモータ駆動制御部と、前記発電部が発電により交流磁界を発生したか否かを検出する発電磁界検出部と、前記モータ駆動制御部によって前記ステッピングモータを正転早送り駆動または逆転早送り駆動させているときに該発電磁界検出部により発電による交流磁界が検出された場合に、前記ステッピングモータに補正早送り駆動信号を出力する補正早送り駆動信号出力部と、前記ステッピングモータによって駆動される指針と、を備えた電子時計の制御方法において、
前記指針を予め定めた所定位置にリセットする場合に、補正早送り駆動信号の周波数を通常の早送り駆動信号の周波数よりも低く設定しあるいは前記補正早送り駆動信号の実効値を通常の早送り駆動信号の実効値よりも大きく設定する
ことを特徴とする電子時計の制御方法。
【手続補正２】
【補正対象書類名】明細書
【補正対象項目名】０００８
【補正方法】変更
【補正の内容】
【０００８】
【課題を解決するための手段】
上記課題を解決するため、請求項１記載の構成は、外部エネルギを電気エネルギに変換する発電部と、前記発電された電気エネルギを蓄電する蓄電部と、前記蓄電部に蓄えられた電気エネルギにより駆動される一または複数のステッピングモータと、パルス状の駆動信号を出力することにより前記ステッピングモータの駆動制御を行うモータ駆動制御部と、前記発電部が発電により交流磁界を発生したか否かを検出する発電磁界検出部と、前記モータ駆動制御部によって前記ステッピングモータを正転早送り駆動または逆転早送り駆動させているときに該発電磁界検出部により発電による交流磁界が検出された場合に、前記ステッピングモータに補正早送り駆動信号を出力する補正早送り駆動信号出力部と、前記ステッピングモータによって駆動される指針と、を備え、前記補正早送り駆動信号出力部は、通常の時刻表示以外の付加機能時間表示を行っている場合に、補正早送り駆動信号の実効値が通常の早送り駆動信号の実効値よりも大きく設定されることを特徴としている。
【手続補正３】
【補正対象書類名】明細書
【補正対象項目名】０００９
【補正方法】変更
【補正の内容】
【０００９】
請求項２記載の構成は、外部エネルギを電気エネルギに変換する発電部と、前記発電された電気エネルギを蓄電する蓄電部と、前記蓄電部に蓄えられた電気エネルギにより駆動される一または複数のステッピングモータと、パルス状の駆動信号を出力することにより前記ステッピングモータの駆動制御を行うモータ駆動制御部と、前記発電部が発電により交流磁界を発生したか否かを検出する発電磁界検出部と、前記モータ駆動制御部によって前記ステッピングモータを正転早送り駆動または逆転早送り駆動させているときに該発電磁界検出部により発電による交流磁界が検出された場合に、前記ステッピングモータに補正早送り駆動信号を出力する補正早送り駆動信号出力部と、前記ステッピングモータによって駆動される指針と、を備え、前記補正早送り駆動信号出力部は、前記指針を予め定めた所定位置にリセットする場合に、補正早送り駆動信号の周波数が通常の早送り駆動信号の周波数よりも低く設定されあるいは前記補正早送り駆動信号の実効値が通常の早送り駆動信号の実効値よりも大きく設定されることを特徴としている。
請求項３記載の構成は、請求項１または請求項２に記載の電子時計において、前記発電磁界検出手段は、前記蓄電手段が充電状態にある場合に前記交流磁界が発生したものとして判別する充電状態判別手段を備えてもよい。
請求項４記載の構成は、請求項１または請求項２に記載の電子時計において、前記発電磁界検出手段は、前記蓄電手段が過充電防止状態にある場合に、過充電防止電流により前記交流磁界が発生したものとして判別を行う過充電防止電流発生判別手段を備えてもよい。
請求項５記載の構成は、請求項１に記載の電子時計において、前記付加機能時間表示は、ストップウォッチ、アラーム、タイマのいずれかであることが好ましい。
請求項６記載の構成は、請求項２に記載の電子時計において、前記補正早送り駆動信号出力部は、補正早送り駆動信号の周波数が通常の早送り駆動信号の周波数よりも低くし、かつ、前記補正早送り駆動信号の実効値が通常の早送り駆動信号の実効値よりも大きくすることが好ましい。
【手続補正４】
【補正対象書類名】明細書
【補正対象項目名】００１０
【補正方法】変更
【補正の内容】
【００１０】
請求項７記載の構成は、外部エネルギを電気エネルギに変換する発電部と、前記発電された電気エネルギを蓄電する蓄電部と、前記蓄電部に蓄えられた電気エネルギにより駆動される一または複数のステッピングモータと、パルス状の駆動信号を出力することにより前記ステッピングモータの駆動制御を行うモータ駆動制御部と、前記発電部が発電により交流磁界を発生したか否かを検出する発電磁界検出部と、前記モータ駆動制御部によって前記ステッピングモータを正転早送り駆動または逆転早送り駆動させているときに該発電磁界検出部により発電による交流磁界が検出された場合に、前記ステッピングモータに補正早送り駆動信号を出力する補正早送り駆動信号出力部と、前記ステッピングモータによって駆動される指針と、を備えた電子時計の制御方法において、通常の時刻表示以外の付加機能時間表示を行っている場合に、補正早送り駆動信号の実効値を通常の早送り駆動信号の実効値よりも大きく設定することを特徴としている。
【手続補正５】
【補正対象書類名】明細書
【補正対象項目名】００１１
【補正方法】変更
【補正の内容】
【００１１】
請求項８記載の構成は、外部エネルギを電気エネルギに変換する発電部と、前記発電された電気エネルギを蓄電する蓄電部と、前記蓄電部に蓄えられた電気エネルギにより駆動される一または複数のステッピングモータと、パルス状の駆動信号を出力することにより前記ステッピングモータの駆動制御を行うモータ駆動制御部と、前記発電部が発電により交流磁界を発生したか否かを検出する発電磁界検出部と、前記モータ駆動制御部によって前記ステッピングモータを正転早送り駆動または逆転早送り駆動させているときに該発電磁界検出部により発電による交流磁界が検出された場合に、前記ステッピングモータに補正早送り駆動信号を出力する補正早送り駆動信号出力部と、前記ステッピングモータによって駆動される指針と、を備えた電子時計の制御方法において、前記指針を予め定めた所定位置にリセットする場合に、補正早送り駆動信号の周波数を通常の早送り駆動信号の周波数よりも低く設定しあるいは前記補正早送り駆動信号の実効値を通常の早送り駆動信号の実効値よりも大きく設定することを特徴としている。